(57)【要約】      （修正有）【課題】印鑑ケースの、汚れを防止し、印鑑の多様性や利便性のために、取り外しが簡単にできる、印鑑ケースの補充部品としての、汚れ防止カバーを提供する。【解決手段】プラスチック０．２ミリの平板を、６×３０ミリに切断し、長方形の短辺部分を、２ミリ程９０度に折り曲げ１、印鑑ケース４の内枠の留め具３に差し込む。余裕の部分が押圧により半円形２を成し、印鑑が自由に出し入れが可能で、汚れを防止することができる。更に差し込んで留め、外すときも簡単に、強く引き上げるだけで、容易に脱着が可能な汚れ防止カバーとなる。【選択図】図２
0003156099.tif 000002
【実用新案登録請求の範囲】
【請求項１】
長方形の板状で、印鑑ケースを開放した時、内枠の留め具に合わせて、折り曲げのできる素材を利用し、短辺を折って留め具の隙間に差し込み（図２）、押圧により半円形を成す、汚れ防止カバー。
【請求項２】
請求項１の汚れ防止カバーで、折り曲げた先端を針状にギザギザ（図４）として、ケース端の内装された部分に差し込み、鋭角により留めるように成した、汚れ防止カバー。
【請求項３】
筒状で成したものを、印鑑ケースの底に合わせ、途中対局左右を内外二段（図５）に折り曲げて、接着あるいはクギ等留め具で成る、汚れ防止カバー。
【考案の詳細な説明】
【技術分野】
【０００１】  本考案は印鑑ケースの、汚れを防止するもので、印鑑の多様性や利便性のために、取り外しが簡単にできるもので、印鑑ケースの補充部品としての、汚れ防止カバーである。
【背景技術】
【０００２】  従来は、印鑑ケースに固定した、キャップ式や多様性、更に利便性のために、特性をもつものが有ったが、現状に於いてはほとんど流通しておらず、形状が一定化して来て居るために、印鑑ケースの内蓋が朱肉で汚れるものが、存在することとなっている。
【考案の開示】
【考案が解決しようとする課題】
【０００３】  従来、印鑑ケースは印鑑に合わせて、様々な部品が組み込まれて居た。
そのため現代の多様化した印鑑に、合わせるため形状が一定化され、汚れが目立つ印鑑ケースが有り、これを解決する課題とした。【０００４】  そこで本考案は、印鑑ケースに組み込まれて居たものを分離し、各種の印鑑ケースに取り外しが簡単で、必要に応じ取り付ける事ができる、印鑑ケースの補助部品の汚れ防止カバーとした。
【課題を解決するための手段】
【０００５】  上記した本考案の目的を達成した、その要旨は印鑑ケース各様体に合わせて、
長方形の板状（図１）あるいは筒状（図５）の弾性の有るものを利用し、必要に応じその短辺左右を、寸法を合わせて折り曲げ、押圧して印鑑ケース内枠留め具に取り付けることで、印鑑に合うアーチとなる。これを印鑑ケースの蓋が開き、印鑑が容易に出し入れできる様に、成型することで解決した。【０００６】  さらに本考案は、折った先端部分を、平面だけのもので無く、針状の様にギザギザで、折りの角度を９０度以上の鋭角に成して、使用時に外れにくく構成して、印鑑ケースの内装の布等に、刺さり押さえる機能と鋭角を持たせることで、留めることができるものである。
【考案の効果】
【０００７】  本考案は、上記の通り構成されているので次に記載する効果を奏する。【０００８】  請求項１の汚れ防止カバーは、脱着が容易で、印鑑ケースの補助部品として、汚れを防止することで、綺麗さを保つことができ、利用者の満足を得る効果がある。【０００９】  請求項２の汚れ防止カバーは、脱着が容易で、汚れを防止することができて、請求項の１で使用ができないものに利用でき、利用者の利便を図ることと、満足を得る効果がある。【００１０】  請求項３の汚れ防止カバーは、必要に応じ利用するものであるが、全てのケースに取り付けが可能となり、汚れが防止できるカバーで、様々なサイズを用意することで、利用者の利便を図ることと、満足を得る効果がある。
【考案の実施するための形態】
【００１１】  印鑑ケースの印鑑を内装する面に、汚れを防止するためのカバーを、取り付けることでなり、その要旨は簡単で取り外しができ、更には補助部品として、容易に補助できるように、印鑑ケースサイズ等を合わせて構成する。
【実施例】
【００１２】  本考案は、印鑑ケースの１寸法を対象として、請求項１を実験した結果を、説明する。プラスチック０．２ミリの平板を、６×３０ミリに切断し、長方形の短辺部分を、２ミリ程９０度に折り曲げることで、印鑑ケースの内枠の留め具に差し込むことができ、余裕の部分が押圧により半円形を成し、印鑑が自由に出し入れが可能で、汚れを防止することができ、更に差し込んで留めており、外すときも簡単に、強く引き上げるだけで、容易に脱着が可能な汚れ防止カバーとなる。【００１３】  さらに、印鑑ケース内枠の留め具が無いものが有り、その場合の対応のため、先端を折り曲げただけでは、留めることができず、そのために折り曲げた先端部分を、印鑑ケースの内装部分に、留め易くする針状のギザギザを設け、更に角度を鋭角（１００〜１５０度）にすることで、曲げた圧で留まり、容易に脱着が可能な汚れ防止カバーとなる。【００１４】  さらに、全ての印鑑ケースに合致すべく、筒状のプラスチックを、印鑑印面部分より、少し大きめのものを用意し、途中の左右を９０度に内外二段階に折り曲げて（図６）、底に密着させるように成し、接着あるいはクギ等で、必要応じて取り付けることができるように構成してなり、補助部品として取り付けて利用できる汚れ防止カバーとなる。【００１５】  さらに、本考案は、試作したプラスチックで説明したが、各種デザインや、各種弾性を持つ素材を利用し成型し、その機能を持たせて構成してなる。
【図面の簡単な説明】
【００１６】
【図１】請求項１の汚れ防止カバーの平面図である。
【図２】請求項１の汚れ防止カバーを取り付けたときの断面図である。
【図３】請求項１の汚れ防止カバーを印鑑ケースに取り付けたときの斜視図である。
【図４】請求項２の汚れ防止カバーの平面図である。
【図５】請求項３の汚れ防止カバーの斜視図である。
【図６】請求項３の汚れ防止カバーの折り曲げたときの断面図である。
【符号の説明】
【００１７】Ａ  汚れ防止カバーの基体
Ｂ  ギザギザを持つ汚れ防止カバーの基体
Ｃ  筒状の汚れ防止カバーの基体
１  折り曲げる部分
２  押圧で曲面となる部分
３  印鑑ケースの内枠留め具
４  印鑑ケース
５  針状のギザギザ部分
６  印鑑ケース底接地部分
【図１】
0003156099.tif 000003
【図２】
0003156099.tif 000004
【図３】
0003156099.tif 000005
【図４】
0003156099.tif 000006
【図５】
0003156099.tif 000007
【図６】
0003156099.tif 000008
【手続補正書】
【提出日】平成21年9月14日(2009.9.14)
【手続補正１】
【補正対象書類名】実用新案登録請求の範囲
【補正対象項目名】全文
【補正方法】変更
【補正の内容】
【実用新案登録請求の範囲】
【請求項１】
長方形の板状でなり、弾性を持つ折り曲げのできる素材を利用し、印鑑ケースを開放し、内枠外周の留め具の隙間に差し込むために、短辺左右を９０度に折り、装着することで押圧により、半円形を成すことを特徴とする、汚れ防止カバー。
【請求項２】
請求項１の汚れ防止カバーで、折り曲げた短辺左右を針状にギザギザとし、更に角度を９５度以上に折り成型し、ケース端の内装部分に装着し、鋭角により押圧し留めるように成すことを特徴とする、汚れ防止カバー。
【請求項３】
印鑑より大きめに覆う筒状で成り、印鑑ケースの底に合わせ、途中対局左右を内外二段に折り曲げて、接地面を接着あるいはクギ等留めて成ることを、特徴とする請求項１記載の汚れ防止カバー。